(57)【要約】【課題】電力や手動での人の労力を必要とせず作動し、設置移設が容易にでき管理・維持費が安価な回転装置を提供する。【解決手段】天板に回転対象物により荷重がかかると、天板が下がることにより、下降用ガイドレールが底板に取り付けられた下降用コマに当接し、下降用ガイドレールの傾斜に沿って天板が回転し、下降用ガイドレールの終端で停止し、天板に回転対象物による荷重がかからなくなると、上昇用ガイドレールが上昇用コマに当接し、上昇用ガイドレールの傾斜に沿って天板が回転し、上昇用ガイドレールの終端で停止することにより、天板を往復回転させる事の出来ること特徴とする回転装置。【選択図】図１
2011236881.tif 000002
【特許請求の範囲】
【請求項１】
回転シャフト３１を設けた底板２と、その回転シャフト３１を軸に回転可能とし回転対象物を載置する天板１と、天板１を底板２に対して持ち上げるように作用させる回転バネ３２と、底板２に固定して取り付けた下降用回転コマ５２と、天板１に接続され、レールの下部が、始端５６から終端５７に向かって下方向の下降用ガイドレールの斜辺５４を有し、その斜辺５４の終端５７の延長上にはくぼみ５５を備えた円周状の下降用ガイドレール５１と、底板に固定して取り付けた上昇用回転コマ４２と、天板１に接続されレールの上部が、ガイドレールの始端４６から終端４７に向かって下方向となる上昇用ガイドレール斜辺４４を有し、その斜辺４４の延長上にくぼみ４５を備えた円周状の上昇用ガイドレール４１とを備え、天板１に回転対象物により荷重がかかると、天板１が下がることにより、下降用ガイドレール５１が底板２に取り付けられた下降用回転コマ５２に当接し、下降用ガイドレール斜辺５４に沿って天板１が回転し、下降用ガイドレール５１のくぼみ５５で停止し、天板１に回転対象物による荷重がかからなくなると、上昇用ガイドレール４１が上昇用回転コマ４２に当接し、上昇用ガイドレール斜辺４４に沿って天板１が回転し、上昇用ガイドレールのくぼみ４５で停止することにより、天板１を往復回転させる事を出来ること特徴とする回転装置。
【請求項２】
前記天板１に摩擦を与える事によりこの天板１の回転を制動させる事のできるブレーキ装置を設けた事を特徴とする請求項１に記載の回転装置。
【請求項３】
前記天板１には安全確認用ＬＥＤ点灯ユニット８が設けられ、前記天板１の回転により発電用回転コマ８４が底板２に接触し、発電用回転コマ８４が回転することにより発電する発電機８３を備え、前記発電機８３により発電される直流電流は下降時、上昇時の回転それぞれに極性が異なること用いて、下降時は下降回転確認ＬＥＤ８１、上昇時は上昇回転確認ＬＥＤ８２が回転動作時にそれぞれ点灯し、回転動作が確認する事を特徴とする請求項１または請求項２に記載の回転装置。
【発明の詳細な説明】
【技術分野】
【０００１】      本発明は加重を利用して回転、停止させる回転装置に関する。
【背景技術】
【０００２】    従来の回転装置は電力を利用して対象物を回転させるものや、手動で回転させる物がある。【０００３】しかし従来の電力を使用して回転させる装置は製作コストが高く装置の設置のみならず電力工事及び設置土木工事を必要とし、移設が困難で撤去後の整地工事が必要で、管理・維持費が高額になり広く普及し難く、手動で回転させる装置は重量物を回転させる際、ある程度の力を掛けなければ回らず労力が必要で女性や高齢者には大変な作業となり時間がかかり特に降雨時、傘を持ちながらの回転作業は非常に面倒である。
【先行技術文献】
【特許文献】
【０００４】
【特許文献１】  特開２００８−２２２０１８号公報
【発明の概要】
【発明が解決しようとする課題】
【０００５】  本発明は、上記の問題に留意して電力や手動での人の労力を必要とせず作動し、設置移設が容易にでき管理・維持費が安価な回転装置を提供する事を課題とする。
【課題を解決するための手段】
【０００６】回転シャフト３１を設けた底板２と、その回転シャフト３１を軸に回転可能とし回転対象物を載置する天板１と、天板１を底板２に対して持ち上げるように作用させる回転バネ３２と、底板２に固定して取り付けた下降用回転コマ５２と、天板１に接続され、レールの下部が、始端５６から終端５７に向かって下方向の下降用ガイドレールの斜辺５４を有し、その斜辺５４の終端５７の延長上にはくぼみ５５を備えた円周状の下降用ガイドレール５１と、底板に固定して取り付けた上昇用回転コマ４２と、天板１に接続されレールの上部が、ガイドレールの始端４６から終端４７に向かって下方向となる上昇用ガイドレール斜辺４４を有し、その斜辺４４の延長上にくぼみ４５を備えた円周状の上昇用ガイドレール４１とを備え、天板１に回転対象物により荷重がかかると、天板１が下がることにより、下降用ガイドレール５１が底板２に取り付けられた下降用回転コマ５２に当接し、下降用ガイドレール斜辺５４に沿って天板１が回転し、下降用ガイドレール５１のくぼみ５５で停止し、天板１に回転対象物による荷重がかからなくなると、上昇用ガイドレール４１が上昇用回転コマ４２に当接し、上昇用ガイドレール斜辺４４に沿って天板１が回転し、上昇用ガイドレールのくぼみ４５で停止することにより、天板１を往復回転させる事を出来ること特徴とする回転装置。【０００７】前記天板に摩擦を与える事によりこの天板の回転を制動させる事のできるブレーキ装置を設けた事を特徴とする回転装置。【０００８】前記天板１には安全確認用ＬＥＤ点灯ユニット８が設けられ、前記天板１の回転により発電用回転コマ８４が底板２に接触し、発電用回転コマ８４が回転することにより発電する発電機８３を備え、前記発電機８３により発電される直流電流は下降時、上昇時の回転それぞれに極性が異なること用いて、下降時は下降回転確認ＬＥＤ８１、上昇時は上昇回転確認ＬＥＤ８２が回転動作時にそれぞれ点灯し、回転動作が確認する事を特徴とする請求項１または請求項２に記載の回転装置。
【発明の効果】
【０００９】  この発明の回転装置は、回転対象物の自重で回転下降し、スプリングの弾性反発力により回転上昇でき、電力や人の労力が不要でシンプルな構成の為、経済的なコストで製作でき、維持費が低価格で、複雑なメンテナンスの必要がなく設置も容易な為、移設・撤去しやすく屋内・屋外の様々な場所での利用が可能であるという優れた利点を有する。
【図面の簡単な説明】
【００１０】
【図１】本発明の回転装置の構成  （ａ）構成  （ｂ）下降用ガイドレール  （ｃ）上昇用ガイドレール
【図２】（ａ）回転装置の内部斜視図  （ｂ）回転装置の天板斜視図
【図３】本発明の回転装置の安全確認用ＬＥＤ点灯ユニットの構成
【図４】本発明の回転装置のブレーキユニットの構成
【図５】本発明の回転装置の使用例
【発明を実施するための最良の形態】
【００１１】図５は、本発明の回転装置の自動車の回転台への使用例を示す。自動車が（ａ）のように回転段に載り始め、（ｂ）のように完全に回転台にのると、（ｃ）のように回転し始め、例えば１８０°回転すると（ｄ）のように１８０°回転して停止し、（ｅ）のように自動車の向きを変えて出ることができる。このように本発明の回転装置は、モータを使うことなく、回転装置に加重がかると、一定角度回転して停止し、加重がかからなくなると、逆回転し、回転の始めの位置に戻ることができる回転台などに適用できる。
以下、本発明の回転装置の構成と動作ついて図１〜図４で説明する。【００１２】図１は、本発明の回転装置の構成を示す。（ａ）は全体構成  （ｂ）は下降用ガイドレールの構成  （ｃ）は上昇用ガイドレールの構成をしめす。
図２は本発明の斜視図である。（ａ）は回転装置の内部斜視図  （ｂ）回転装置の天板斜視図を示す。
回転装置が上昇位置にある状態で天板１に対象物が載置されると、対象物の荷重が引力により下向き方向へかかる。この状態でブレーキユニット６を解除させる事により、天板１が下向き方法に移動し、それにより天板１に固定されている下降用ガイドレール５１が、下降用回転コマ５２に当接し、下降用ガイドレール５１の斜辺５４に導かれ回転し、下降用ガイドレール５１に設けたくぼみ５５で終止する。載置された対象物の荷重が掛からなくなると回転バネ３２の反発力で上昇用ガイドレール４１と上昇用回転コマ４２が当接し上昇用ガイドレール４１の斜辺４４に導かれ上昇回転し、上昇用ガイドレール４１に設けたくぼみ４５で終止する。この事の繰り返しを半永久的に行え、回転の速度を調整する事の出来る回転装置である。【００１３】下降用ガイドレール５１の上部分は天板１に固定され、下部は、始端５６から終端５７に向かって下方向の斜辺５４になっており、その斜辺の終端５７の延長上にはくぼみ５５が設けられている。回転対象物が天板１に載置された時の荷重で、下降用回転コマ５２が下降用ガイドレール５１の斜辺５４に当接し、下降用ガイドレール斜辺５４に沿って移動することで天板１が矢印Ａの方向に回転下降し、くぼみ５５に下降用回転コマ５２が到着するとくぼみに、はまり天板１の回転が止まり、天板１が逆回転する事を防ぐ。【００１４】上昇用ガイドレール４１の上部は、始端４６から終端４７に向かって下方向の斜辺４４になっており、下部分は天板１に固定されている。その斜辺４４の終端４７の延長上にはストッパーとなるくぼみ４５が設けられている。回転対象物による荷重がかからなくなった時、回転バネ３２の弾性反発力により上昇用ガイドレール斜辺４４が上昇用回転コマ４２に当接し、上昇用ガイドレール斜辺４４が、上昇用回転４２コマに沿って移動することで天板１が、矢印Ｂのように下降時とは逆方法に回転上昇し、くぼみ４５に上昇用回転コマ４２が到着すると、くぼみにはまり、天板１の回転が止まり、天板１が逆回転する事を防ぐ。
下降用ガイドレール５１と上昇用ガイドレール４１は、上記では一重の場合を示してるが、天板を安定させるために、２重、３重のガイドレールを設けてもよい。【００１５】図３は本発明の回転装置の安全確認用ＬＥＤ点灯ユニット８の構成図を示す。
安全確認用ＬＥＤ点灯ユニット取付ステー８５により、天板１に設けられた安全確認用ＬＥＤ点灯ユニット８の発電用回転コマ８４が、天板１の回転時に底板２に接触移動する事で、発電機８３により発電される直流電流は下降時、上昇時の回転それぞれに極性が違うことを用いて、下降時は下降回転確認ＬＥＤ８１、上昇時は上昇回転確認ＬＥＤ８２が回転動作時にそれぞれ点灯する。【００１６】    また、回転装置の下降用コマ支持部５３からのスプリング７３により、センタースプリング回転用台座３３に摩擦部７１が当接しアジャスト用ネジ７２により当接を調整し摩擦の強弱により回転を調整する。【００１７】図４は本発明の回転装置のブレーキユニット６の構成図である。
ブレーキユニット６に設けられた、ブレーキシュー６２がリターンスプリング６１により、天板１に当接しているがブレーキワイヤー６３を引っ張る事により天板１からブレーキシュー６２が離れ天板１の回転がスタートし、天板１の回転途中でブレーキワイヤー６３を元に戻すと、リターンスプリング６１によりブレーキシュー６２が天板１に当接し制動する。
【産業上の利用可能性】
【００１８】駐車場での自動車の回転台、車の展示場などに利用できる。エレベーター内での車椅子やシニアカー等の方向転換や介護用椅子に利用できる。
【符号の説明】
【００１９】１  天板
２  底板
３  センターユニット
３１  回転シャフト
３２  回転バネ
３３  センタースプリング回転用台座
４  上昇用ユニット
４１  上昇用ガイドレール
４２  上昇用回転コマ
４３  上昇用コマ支持部
４４  斜辺
４５  くぼみ
４６  始端
４７  終端
５  下降用ユニット
５１  下降用ガイドレール
５２  下降用回転コマ
５３  下降用コマ支持部
５４  斜辺
５５  くぼみ
５６  始端
５７  終端
６  ブレーキユニット
６１  リターンスプリング
６２  ブレーキシュー
６３  ブレーキワイヤー
７  回転速度調整装置
７１  摩擦部
７２  アジャスト用ネジ
７３  スプリング
８  安全確認用ＬＥＤ点灯ユニット
８１  下降回転確認ＬＥＤ
８２  上昇回転確認ＬＥＤ
８３  発電機
８４  発電用回転コマ
８５  安全確認用ＬＥＤ点灯ユニット取付ステー
Ａ    回転矢印
Ｂ    回転矢印
【図１】
2011236881.tif 000003
【図２】
2011236881.tif 000004
【図３】
2011236881.tif 000005
【図４】
2011236881.tif 000006
【図５】
2011236881.tif 000007